【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
ユーザ装置と、
前記ユーザ装置の無線リソース制御を、制御プレーン経路を介して実行可能である第１基地局と、
前記ユーザ装置の無線リソース制御を実行しない第２基地局と
を含む複数の基地局と、
ゲートウェイ装置とを備え、
前記第１基地局は、
前記ユーザ装置から送信される、前記基地局が送信する電波に関する測定報告メッセージを受信する測定報告メッセージ受信部と、
前記ユーザ装置と前記第１基地局とに制御プレーン経路及び第１ユーザプレーン経路が確立され、前記第１基地局と前記ゲートウェイ装置とに第２ユーザプレーン経路が確立されている場合に、前記第１基地局と前記第２基地局とに第３ユーザプレーン経路を確立すべきか否かを前記測定報告メッセージに基づいて判定する判定部と、
前記第３ユーザプレーン経路を確立すべきと前記判定部が判定したときに、前記第１基地局と前記第２基地局とに前記第３ユーザプレーン経路を確立し、確立された前記第３ユーザプレーン経路を前記第２ユーザプレーン経路に関連付けるユーザプレーン経路制御部と、
前記ユーザ装置と前記第２基地局とに第４ユーザプレーン経路を確立することを指示する無線接続再設定メッセージを、前記ユーザ装置に送信する無線接続設定部とを備え、
前記第２基地局は、
前記ユーザ装置が確立した前記第４ユーザプレーン経路を、前記第３ユーザプレーン経路に関連付けるユーザプレーン経路処理部を備える
無線通信システム。
【請求項２】
ユーザ装置と、
前記ユーザ装置の無線リソース制御を、制御プレーン経路を介して実行可能である第１基地局と、
前記ユーザ装置の無線リソース制御を実行しない第２基地局と
を含む複数の基地局と、
交換局と、
ゲートウェイ装置とを備え、
前記第１基地局は、
前記ユーザ装置から送信される、前記基地局からの電波に関する測定報告メッセージを受信する測定報告メッセージ受信部と、
前記測定報告メッセージを前記交換局に転送する転送部とを備え、
前記交換局は、
前記ユーザ装置と前記第１基地局とに制御プレーン経路及び第１ユーザプレーン経路が確立され、前記第１基地局と前記ゲートウェイ装置とに第２ユーザプレーン経路が確立されている場合に、前記第１基地局と前記第２基地局とに第３ユーザプレーン経路を確立すべきか否かを前記測定報告メッセージに基づいて判定する判定部と、
前記判定部の判定結果を前記第１基地局に送信する判定結果送信部とを備え、
前記第１基地局は、さらに、
前記判定結果が前記第３ユーザプレーン経路を確立すべきとの判定を示すときに、前記第１基地局と前記第２基地局とに前記第３ユーザプレーン経路を確立し、確立された前記第３ユーザプレーン経路を前記第２ユーザプレーン経路に関連付けるユーザプレーン経路制御部と、
前記ユーザ装置と前記第２基地局とに第４ユーザプレーン経路を確立することを指示する無線接続再設定メッセージを、前記ユーザ装置に送信する無線接続設定部とを備え、
前記第２基地局は、
前記ユーザ装置が確立した前記第４ユーザプレーン経路を、前記第３ユーザプレーン経路に関連付けるユーザプレーン経路処理部を備える
無線通信システム。
【請求項３】
前記第１基地局の前記ユーザプレーン経路制御部は、
前記第３ユーザプレーン経路と前記第４ユーザプレーン経路とが関連付けられた後に前記第１ユーザプレーン経路を解放する
請求項１または請求項２に記載の無線通信システム。
【請求項４】
前記第１基地局の前記ユーザプレーン経路制御部は、
前記第１基地局の識別情報を含み、前記第３ユーザプレーン経路を確立することを要求する経路確立要求メッセージを第２基地局に送信し、
前記第２基地局の前記ユーザプレーン経路処理部は、
前記経路確立要求メッセージに応じて、前記第２基地局の識別情報を含む経路確立応答メッセージを送信し、
前記第１基地局の前記無線接続設定部は、
前記第２基地局の前記識別情報を含む前記無線接続再設定メッセージを前記ユーザ装置に送信し、
前記ユーザ装置は、
前記無線接続再設定メッセージに基づいて前記第２基地局にアクセスすることにより前記第４ユーザプレーン経路を確立する通信制御部を備える
請求項１から請求項３のいずれかに記載の無線通信システム。
【請求項５】
ユーザ装置と、
前記ユーザ装置の無線リソース制御を、制御プレーン経路を介して実行可能である第１基地局と、
前記ユーザ装置の無線リソース制御を実行しない第２基地局と
を含む複数の基地局と、
ゲートウェイ装置とを備え、
前記第１基地局は、
前記ユーザ装置から送信される、前記基地局が送信する電波に関する測定報告メッセージを受信する測定報告メッセージ受信部と、
前記ユーザ装置と前記第１基地局とに制御プレーン経路が確立され、前記ゲートウェイ装置と前記第１基地局とに第２ユーザプレーン経路が確立され、前記第１基地局と前記第２基地局とに第３ユーザプレーン経路が前記第２ユーザプレーン経路と関連付けて確立され、前記第２基地局と前記ユーザ装置とに第４ユーザプレーン経路が前記第３ユーザプレーン経路と関連付けて確立されている場合に、前記ユーザ装置と前記第１基地局とに第１ユーザプレーン経路を確立すべきか否かを前記測定報告メッセージに基づいて判定する判定部と、
前記第１ユーザプレーン経路を確立すべきと前記判定部が判定した場合に、前記ユーザ装置と前記第１基地局とに前記第１ユーザプレーン経路を確立するユーザプレーン経路制御部とを備える
無線通信システム。
【請求項６】
ユーザ装置と、
前記ユーザ装置の無線リソース制御を、制御プレーン経路を介して実行可能である第１基地局と、
前記ユーザ装置の無線リソース制御を実行しない第２基地局と
を含む複数の基地局と、
交換局と、
ゲートウェイ装置とを備え、
前記第１基地局は、
前記ユーザ装置から送信される、前記基地局が送信する電波に関する測定報告メッセージを受信する測定報告メッセージ受信部と、
前記測定報告メッセージを前記交換局に転送する転送部とを備え、
前記交換局は、
前記ユーザ装置と前記第１基地局とに制御プレーン経路が確立され、前記ゲートウェイ装置と前記第１基地局とに第２ユーザプレーン経路が確立され、前記第１基地局と前記第２基地局とに第３ユーザプレーン経路が前記第２ユーザプレーン経路と関連付けて確立され、前記第２基地局と前記ユーザ装置とに第４ユーザプレーン経路が前記第３ユーザプレーン経路と関連付けて確立されている場合に、前記ユーザ装置と前記第１基地局とに第１ユーザプレーン経路を確立すべきか否かを前記測定報告メッセージに基づいて判定する判定部と、
前記判定部の判定結果を前記第１基地局に送信する判定結果送信部とを備え、
前記第１基地局は、さらに
前記判定結果が前記第１ユーザプレーン経路を確立すべきとの判定を示すときに、前記ユーザ装置と前記第１基地局とに前記第１ユーザプレーン経路を確立するユーザプレーン経路制御部とを備える
無線通信システム。
【請求項７】
前記第１基地局は、無線接続再設定メッセージを送信可能な無線接続制御部を備え、
前記第１基地局の前記ユーザプレーン経路制御部は、
前記第１ユーザプレーン経路を確立すべき場合であって、
前記ユーザ装置と前記第１基地局とに既にユーザプレーン経路が存在するときには、当該ユーザプレーン経路を前記第２ユーザプレーン経路と関連付けて前記第１ユーザプレーン経路とし、
前記ユーザ装置と前記第１基地局とにユーザプレーン経路が存在しないときには、前記ユーザ装置と前記第１基地局とに前記第１ユーザプレーン経路を確立することを指示する無線接続再設定メッセージを、前記ユーザ装置に送信するように前記無線接続制御部を制御する
請求項５または請求項６に記載の無線通信システム。
【請求項８】
ユーザ装置と、
前記ユーザ装置の無線リソース制御を、制御プレーン経路を介して実行可能である第１基地局と、
前記ユーザ装置の無線リソース制御を実行しない第２基地局と
を含む複数の基地局と、
ゲートウェイ装置とを備える無線通信システムで用いられる第１基地局であって、
前記ユーザ装置から送信される、前記基地局が送信する電波に関する測定報告メッセージを受信する測定報告メッセージ受信部と、
前記ユーザ装置と前記第１基地局とに制御プレーン経路及び第１ユーザプレーン経路が確立され、前記第１基地局と前記ゲートウェイ装置とに第２ユーザプレーン経路が確立されている場合に、前記第１基地局と前記第２基地局とに第３ユーザプレーン経路を確立すべきか否かを前記測定報告メッセージに基づいて判定する判定部と、
前記第３ユーザプレーン経路を確立すべきと前記判定部が判定したときに、前記第１基地局と前記第２基地局とに前記第３ユーザプレーン経路を確立し、確立された前記第３ユーザプレーン経路を前記第２ユーザプレーン経路に関連付けるユーザプレーン経路制御部と、
前記ユーザ装置と前記第２基地局とに第４ユーザプレーン経路を確立することを指示する無線接続再設定メッセージを、前記ユーザ装置に送信する無線接続設定部とを備える
基地局。
【請求項９】
ユーザ装置と、
前記ユーザ装置の無線リソース制御を、制御プレーン経路を介して実行可能である第１基地局と、
前記ユーザ装置の無線リソース制御を実行しない第２基地局と
を含む複数の基地局と、
ゲートウェイ装置とを備える無線通信システムで用いられる第１基地局であって、
前記ユーザ装置から送信される、前記基地局が送信する電波に関する測定報告メッセージを受信する測定報告メッセージ受信部と、
前記ユーザ装置と前記第１基地局とに制御プレーン経路が確立され、前記ゲートウェイ装置と前記第１基地局とに第２ユーザプレーン経路が確立され、前記第１基地局と前記第２基地局とに第３ユーザプレーン経路が前記第２ユーザプレーン経路と関連付けて確立され、前記第２基地局と前記ユーザ装置とに第４ユーザプレーン経路が前記第３ユーザプレーン経路と関連付けて確立されている場合に、前記ユーザ装置と前記第１基地局とに第１ユーザプレーン経路を確立すべきか否かを前記測定報告メッセージに基づいて判定する判定部と、
前記第１ユーザプレーン経路を確立すべきと前記判定部が判定した場合に、前記ユーザ装置と前記第１基地局とに前記第１ユーザプレーン経路を確立するユーザプレーン経路制御部とを備える
基地局。
【手続補正２】
【補正対象書類名】明細書
【補正対象項目名】００２３
【補正方法】変更
【補正の内容】
【００２３】
第１実施形態
１（１）．  無線通信システムの構成
図１は、本発明の第１実施形態に係る無線通信システムＣＳを示すブロック図である。無線通信システムＣＳは、ユーザ装置ＵＥと、第１基地局ｅＮＢと、第２基地局ＰｈＮＢと、交換局ＭＭＥと、ゲートウェイ装置ＧＷとを要素として備える。また、ネットワークＮＷは、無線通信システムＣＳが備える以上の要素のうちユーザ装置ＵＥ以外の要素を全て備える。
【手続補正３】
【補正対象書類名】明細書
【補正対象項目名】００４１
【補正方法】変更
【補正の内容】
【００４１】
第１基地局ｅＮＢは、新しく確立されたデータ無線ベアラＤＲＢ２とＸ３ベアラＸ３Ｂとが関連付けられた後（または、RRC Connection Reconfiguration Completeメッセージを受信した後）に、ユーザ装置ＵＥと第１基地局とに確立されているデータ無線ベアラＤＲＢ１を解放することが可能である（S320）。なお、ステップS320が実行されず、双方のデータ無線ベアラＤＲＢ１及びＤＲＢ２が維持されてもよい。いずれの場合であっても、ユーザ装置ＵＥと第１基地局とに確立されているシグナリング無線ベアラＳＲＢは維持される。
【手続補正４】
【補正対象書類名】明細書
【補正対象項目名】００５０
【補正方法】変更
【補正の内容】
【００５０】
１（３）−３．  第２基地局の構成
図８は、第１実施形態に係る第２基地局ＰｈＮＢの構成を示すブロック図である。第２基地局ＰｈＮＢは、無線通信部３１０とネットワーク通信部３２０と記憶部３３０と制御部３４０とを備える。無線通信部３１０は、ユーザ装置ＵＥと無線通信を実行するための要素であり、第１基地局ｅＮＢの無線通信部２１０と同様の構成を有する。ネットワーク通信部３２０は、第１基地局ｅＮＢと通信を実行するための要素であり、第１基地局ｅＮＢと電気信号を送受信する。記憶部３３０は、通信制御に関する情報、特に自局を含む各ノードの識別情報および通信経路（Ｃプレーン経路、Ｕプレーン経路）のコンテキスト情報を有する。
【手続補正５】
【補正対象書類名】明細書
【補正対象項目名】００５７
【補正方法】変更
【補正の内容】
【００５７】
制御部５４０は、通信制御部５４２とデータ送受信部５４４とを備える。通信制御部５４２は、無線通信システムＣＳの通信制御を実行する要素であり、ネットワーク通信部５１０を介して交換局ＭＭＥと制御信号を送受信する。すなわち、通信制御部５４２は、ネットワーク通信部５１０を介してＣプレーン上の通信を実行する。データ送受信部５４４は、ネットワーク通信部５１０を介して受信したユーザ装置ＵＥ発のユーザ信号を、外部ネットワーク通信部５２０を介してインターネットＩＮ（インターネットＩＮ内の外部サーバ）に送信（中継）するとともに、外部ネットワーク通信部５２０を介してインターネットＩＮ（インターネットＩＮ内の外部サーバ）から受信したユーザ信号を、ネットワーク通信部５１０を介してユーザ装置ＵＥに送信（中継）する。すなわち、データ送受信部５２４はＵプレーン上の通信を実行する。
【手続補正６】
【補正対象書類名】明細書
【補正対象項目名】００７５
【補正方法】変更
【補正の内容】
【００７５】
４（１）．  変形例１
以上の実施形態では、交換局ＭＭＥと第２基地局ＰｈＮＢとが直接に接続されない。しかしながら、図１８に示すように、交換局ＭＭＥと第２基地局ＰｈＮＢとの間にＣプレーンのインタフェース（Ｓ１−ＭＭＥインタフェース）が存在する構成も採用可能である。また、無線通信システムＣＳに含まれる複数の第２基地局ＰｈＮＢのうち、一部の第２基地局ＰｈＮＢが図１のように交換局ＭＭＥと接続せず、他の一部の第２基地局ＰｈＮＢが図１８のように交換局ＭＭＥと接続する構成も採用可能である。